(57)【要約】【課題】マクロ撮像モードで撮像を行う際に、手で保持しなくとも、所定の撮像距離を確保して、明瞭な画像を得ることのできる携帯端末を提供する。【解決手段】この携帯端末には、被写体像を結像する光学部材と、光学部材を保持し、外周面にカム溝を有する鏡筒とを備える。さらに携帯端末には、カム溝に係合して、光学部材が第一撮像位置及び第二撮像位置の間で移動するように、鏡筒を光軸方向に移動させるカム部材と、鏡筒の周辺に設けられ、カム部材の移動に応じて、光学部材と被写体とを所定間隔で維持する起立状態及び非起立状態に切り換わるスタンド部材とを備える。スタンド部材は、カム部材の往動時には起立状態になるとともに、カム部材の復動時には非起立状態になることを特徴としている。【選択図】        図２
2004246088.tif 000002
【特許請求の範囲】
【請求項１】
被写体像を結像する光学部材と、
周方向の移動を規制された状態で、前記光学部材を保持し、外周面にカム溝を有する鏡筒と、
前記カム溝に係合して、前記光学部材の光軸方向に直交する方向にほぼ沿って往復移動することにより、前記光学部材が、第一の撮像モードに応じる第一撮像位置及び前記第一の撮像モードよりも近接した撮像を行う第二の撮像モードに応じる第二撮像位置の間で移動するように、前記鏡筒を前記光軸方向に移動させるカム部材と、
前記鏡筒の周辺に設けられ、前記カム部材の移動に応じて、前記光学部材と被写体とを所定間隔で維持する起立状態及び非起立状態に切り換わるスタンド部材とを備え、
前記スタンド部材は、前記第一撮像位置から前記第二撮像位置まで前記光学部材を移動させる前記カム部材の往動時には起立状態になるとともに、前記第二撮像位置から前記第一撮像位置まで前記光学部材を移動させる前記カム部材の復動時には非起立状態になることを特徴とする携帯端末。
【請求項２】
請求項１記載の携帯端末において、
前記スタンド部材は複数設けられ、
前記カム部材及び前記カム溝は、前記スタンド部材の個数に応じて複数設けられていることを特徴とする携帯端末。
【発明の詳細な説明】
【０００１】
【発明の属する技術分野】
本発明は、携帯端末に係り、特にカメラ等の撮像装置を備える携帯端末に関する。
【０００２】
【従来の技術】
近年、携帯電話機やＰＨＳ等の通信端末若しくはＰＤＡ等の情報携帯端末（以下、統括して「携帯端末」と称す）にカメラ等の撮像装置を設けた撮像装置付き携帯端末が提案されている。このような撮像装置付き携帯端末は急速に普及しており、それに伴って、多機能化が進んでいる。多機能化の一例として、例えば、通常撮像モードと、この通常撮像モードよりも被写体を近接させて撮像するマクロ撮像モードとを都合に応じて切り換えて撮像する携帯端末が開発されている（例えば、特許文献１参照）。この携帯端末においては、撮像モードの切り換えに応じて、レンズが移動し各撮像モードに好適な焦点距離を確保している。
【０００３】
【特許文献１】
特開２００２−２６２１６４号公報
【０００４】
【発明が解決しようとする課題】
しかしながら、上記特許文献１記載の撮像装置付き携帯端末であると、通常撮像モード及びマクロ撮像モードの両モードにおいても携帯端末を手で保持して撮像を行うのが一般的である。しかしながら、手で保持してマクロ撮像モードで撮像を行った場合、被写体からレンズまでの撮像距離が通常撮像モードよりも短いために、手ブレの影響が大きく明瞭な画像を得るのは難しかった。
【０００５】
本発明の課題は、マクロ撮像モードで撮像を行う際に、手で保持しなくとも、所定の撮像距離を確保して、明瞭な画像を得ることのできる携帯端末を提供することである。
【０００６】
【課題を解決するための手段】
請求項１記載の発明の携帯端末は、
被写体像を結像する光学部材と、
周方向の移動を規制された状態で、前記光学部材を保持し、外周面にカム溝を有する鏡筒と、
前記カム溝に係合して、前記光学部材の光軸方向に直交する方向にほぼ沿って往復移動することにより、前記光学部材が、第一の撮像モードに応じる第一撮像位置及び前記第一の撮像モードよりも近接した撮像を行う第二の撮像モードに応じる第二撮像位置の間で移動するように、前記鏡筒を前記光軸方向に移動させるカム部材と、
前記鏡筒の周辺に設けられ、前記カム部材の移動に応じて、前記光学部材と被写体とを所定間隔で維持する起立状態及び非起立状態に切り換わるスタンド部材とを備え、
前記スタンド部材は、前記第一撮像位置から前記第二撮像位置まで前記光学部材を移動させる前記カム部材の往動時には起立状態になるとともに、前記第二撮像位置から前記第一撮像位置まで前記光学部材を移動させる前記カム部材の復動時には非起立状態になることを特徴としている。
【０００７】
請求項１記載の発明によれば、第一撮像位置から第二撮像位置まで光学部材を移動させるカム部材の往動時にはスタンド部材が起立状態になるので、被写体と光学部材とを第二の撮像モードに好適な間隔を空けて対峙させることができる。したがって、第二の撮像モード（マクロ撮像モード）で撮像を行う際に、手で保持しなくとも、所定の撮像距離を確保して、明瞭な画像を得ることが可能となる。
【０００８】
請求項２記載の発明は、請求項１記載の携帯端末において、
前記スタンド部材は複数設けられ、
前記カム部材及び前記カム溝は、前記スタンド部材の個数に応じて複数設けられていることを特徴としている。
【０００９】
請求項２記載の発明によれば、スタンド部材が複数設けられているので、複数のスタンド部材によって第二の撮像モードにおける光学部材と被写体との間隔が維持されることになり、より安定した状態で第二の撮像モードでの撮像を行うことができる。
【００１０】
【発明の実施の形態】
以下、図を参照して本発明の実施の形態を詳細に説明する。
【００１１】
図１は、本発明を適用した携帯端末の一例である、撮像装置付き携帯電話機（以下、携帯電話機と略記する。）の外観構成を示す図である。図１に示すように、携帯電話機１００は、第一筐体１及び第二筐体２がヒンジ結合部３により開閉可能に連結されて形成された折り畳み式のものである。
【００１２】
図１（ａ）及び図１（ｂ）に示すように、携帯電話機１００の上部にはアンテナ５が伸縮自在に配設されている。図１（ａ）に示される、折り畳み時に内側になる面（以下、正面という。）には、例えばカメラボタン、機能キー等からなる入力部６及び例えばＬＣＤ（Ｌｉｑｕｉｄ  Ｃｒｙｓｔａｌ  Ｄｉｓｐｌａｙ）パネル等からなる表示部７が配設されている。また、図１（ｂ）に示される、折り畳み時に外側になる面（以下、背面という。）には、被写体を撮像するための撮像装置８が設けられている。また、第二筐体２の背面側には、充電パック等の電源制御部４が設けられている。
【００１３】
ここで、撮像装置８について図２〜図５を参照して説明する。図２は撮像装置８の概略構成を表す断面図である。
【００１４】
撮像装置８は、ガラス又はプラスチックからなる光学部材及びＣＣＤ（Ｃｈａｒｇｅ  Ｃｏｕｐｌｅｄ  Ｄｉｏｄｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子等により構成され、光学部材を介して入力される画像を撮像素子で電気信号に変換して、画像データを生成する。具体的に撮像装置８には、図２に示すように、例えばＣＭＯＳ型イメージセンサからなる矩形薄板状の撮像素子８１が、プリント配線基板ＰＣの一面上に配設されている。撮像素子８１の上面中央には、多数の画素が２次元的に配列された光電変換部８２が形成されている。光電変換部８２の外側には、外部接続用端子（図示省略）が、ワイヤＷを介してプリント配線基板ＰＣに接続されている。
【００１５】
また、撮像素子８１の上方には、撮像素子８１の光電変換部８２に被写体像を結像させる光学部材９が配置されている。この光学部材９は、透明なプラスチックを材料としている。光学部材９には、凸レンズ形状のレンズ部９１と、レンズ部９１の周縁から略Ｌ字状で下方に延出して、レンズ部９１を光電変換部８２に対向するように支持する支持部９２とが一体的に形成されている。支持部９２は、光軸に対して垂直な断面視において円弧状に形成されており、その外周面には、外方に向けて突出する突部９３が設けられている。また、支持部９２の上面には、レンズ部９１に対する光量を調整する絞り板９４が設けられている。
【００１６】
絞り板９４は、遮光性を有する材料からなり、その中央には、レンズ部９１の絞り値（Ｆ値）を規定する第一の絞りとしての開口９５が設けられている。この開口９５がレンズ部９１に対向するように配置されている。
【００１７】
また、撮像装置８には、光学部材９を保持して光軸方向に移動させる鏡筒１０が設けられている。鏡筒１０は、図２及び図３に示すように、内部に光学部材９を格納する円筒形状の格納部１１と、格納部１１の外周面から下方に延出する３つの脚部１２とを備えており、これらが遮光性を有した材料により一体的に形成されている。
【００１８】
格納部１１の内径は、光学部材９の外径よりも大きく形成されており、この格納部１１の内周面には、内側に向かって突出する内突部１３が、光学部材９の突部９３の下方で支持部９２の外周面に接触するように形成されている（図２参照）。これにより、格納部１１の内部に光学部材９を格納することができるようになっている。そして、格納部１１の下方には、鏡筒１０の移動に応じて伸縮する遮光部材１４が、プリント配線基板ＰＣ上で鏡筒１０の位置決めを行う位置決め部材１５と格納部１１の下端部とに接続されており、遮光部材１４と位置決め部材１５とによって光学部材９の側方から外部の光が入射しないようになっている。
また、格納部１１の外周面には、複数のカム溝１６が、それぞれ各脚部１２の間に配設されている。
【００１９】
格納部１１の上面には、中央が開口した遮光板１７と、前記開口を閉塞するように遮光板１７に固定されたフィルタ１８とが設けられている。これによりフィルタ１８を介して光がレンズ部９１に入射するようになっている。ここで、遮光板１７と、格納部１１内に格納された光学部材９の突部９３との間には、光学部材９と遮光板１７とが離間する方向に付勢力を与える付勢バネ１９が配設されている。このため、遮光板１７から撮像素子８１に向かう力が加わった際に、付勢バネ１９の弾性変形により緩衝作用が働いて力が吸収されることとなり、撮像素子８１の破損を防止するようになっている。
【００２０】
そして、撮像装置８には、鏡筒１０の周囲を覆って、鏡筒１０の周方向の移動を規制する規制部材２０が設けられている。この規制部材２０の内面には、鏡筒１０の各脚部１２に係合する複数の溝２１が、光学部材９の光軸方向に沿うように設けられている。この溝２１の幅は、脚部１２の幅よりも僅かに大きく設定されているために、鏡筒１０の周方向の移動を規制した状態で、鏡筒１０の光軸方向への移動ができるようになっている。
【００２１】
また、規制部材２０の側壁には、図４に示すように、光軸方向に直交する方向にほぼ沿うように延在する複数の案内孔２２が、各カム溝１６に対向して設けられている。この案内孔２２には、鏡筒１０のカム溝１６に係合するカム部材２３が、案内孔２２内を移動するように貫通されている。このカム部材２３の、規制部材２０よりの外部にあたる部分には、図４及び図５に示すように、突起２４が形成されている。また、カム部材２３には、カム部材２３を案内孔２２内で移動させる規制部材駆動源２５（図６参照）が接続されている。
【００２２】
規制部材２０の各案内孔２２の一端部における外方には、カム部材２３の移動に応じて、起立状態及び非起立状態が切り換わる複数のスタンド部材２６が設けられている。スタンド部材２６は、角柱状の本体部２６１と、本体部２６１の一端から所定の距離を空けた位置で下方に延出する延出部２６２とを備えている。本体部２６１の延出部２６２近傍には、延出部２６２の延出方向に直交するように貫通する軸孔２６３が形成されている。この軸孔２６３に、規制部材２０に対向するように設けられたスタンド支持部材２７及び規制部材２０の間に取り付けられた軸部材２８が貫通されることによって、スタンド部材２６は軸孔２６３を中心に回動して、起立状態及び非起立状態が切り換わるようになっている。
【００２３】
図６は、携帯電話機１００の機能的構成を示すブロック図である。図６に示すように、携帯電話機１００には、アンテナ５を有する無線通信部４０、電源制御部４、入力部６、表示部７、撮像装置８、規制部材駆動源２５、制御部３０、記憶部４１、送受話部４２等を備えて構成され、各部はバス４３により接続されている。
【００２４】
制御部３０は、ＣＰＵ（Ｃｅｎｔｒａｌ  Ｐｒｏｃｅｓｓｉｎｇ  Ｕｎｉｔ）３１、書き換え可能な半導体素子で構成されるＲＡＭ（Ｒａｎｄｏｍ  Ａｃｃｅｓｓ  Ｍｅｍｏｒｙ）３２、不揮発性の半導体メモリで構成されるＲＯＭ（Ｒｅａｄ  Ｏｎｌｙ  Ｍｅｍｏｒｙ）３３等から構成されている。
【００２５】
ＲＯＭ３３には、図示しない、携帯電話機１００の基本動作制御プログラム、通信処理プログラム、表示部７に表示するための表示用データ、撮像に関するパラメータデータ（自動撮像用のデフォルトの設定データ、プレビュー表示処理用のデフォルトの設定データ）等の他、撮像制御プログラム３４、コード認識プログラム３５、コード認識用データ３６が記憶されている。ここで、コード認識用データ３６は、画像データに情報コードとしての二次元コードが含まれているかを判断するためのコード類似性係数（Ｑ）を設定する際の基準データである。
【００２６】
ＣＰＵ３１は、入力部６から入力される各種指示又は無線通信部４０から入力されるデータに従って、ＲＯＭ３３に記憶されている各種プログラムの中から指定されたプログラムをＲＡＭ３２のワークエリアに展開し、この入力指示及び入力データにより上記プログラムに従って各種処理を実行する。そして、ＣＰＵ３１は、その処理結果をＲＡＭ３２の所定の領域に格納するとともに、表示部７に表示させる。
【００２７】
具体的に、ＣＰＵ３１は、ＲＯＭ３３に記憶される撮像制御プログラム３４を読み出して、撮像制御処理を実行する。
撮像制御処理として、ＣＰＵ３１は、入力部６から入力されるユーザの操作指示等に従って、撮像装置８を制御して、撮像させた撮像画像データをＲＡＭ３２に所定のメモリ等に格納した上で、フレームレート２５ｆｐｓで、表示部７にプレビュー表示させる。
また、ＣＰＵ３１は、コード認識プログラム３５に従って、撮像画像データに対して二次元コードである可能性のある二次元コード対象を認識するコード処理を実行する。具体的に、ＣＰＵ３１は、５フレーム毎に、撮像画像データと、コード認識用データ３６とを対照することにより、撮像画像データに二次元コードが含まれているか否かの判断を実行する。より具体的には、ＣＰＵ３１は、撮像画像データと、類似性係数算定用情報としてのコード認識用データ３６とを対照することにより、二次元コード対象にコード類似性係数を算出し、このコード類似性係数の値に基づいて、二次元コードである可能性のある二次元コード対象（情報コード対象）や二次元コードを認識する。
【００２８】
更に、ＣＰＵ３１は、コード類似性係数が、コードを含んでいる可能性があるが、決定的でない数値であると判断した二次元コード対象がある場合、撮像装置８により第一の撮像モードとしての通常撮像モードから第二の撮像モードとしてのマクロ撮像モードによる撮像処理を行うように切換制御処理する。ここで、通常撮像モードとは、被写界深度が１メートル〜∞であり、マクロ撮像モードとは、被写界深度が数センチメートル〜∞であり、通常撮像モードより焦点距離が短く、被写体までの距離が短い場合の撮像に適している。そして、ＣＰＵ３１は、光学部材９と被写体との間隔が、通常撮像モード若しくはマクロ撮像モードに応じるように、規制部材駆動源２５を駆動させる。
【００２９】
また、ＣＰＵ３１は、撮像画像データ中に二次元コードを認識した場合には、二次元コードのデコード処理するとともに、表示部７に表示させる。そして、ＣＰＵ３１は、デコード処理を行った情報コードの情報に基づく動作を実行する。
【００３０】
無線通信部４０は、無線基地局（図示せず）との間で着信や発信等に係る無線信号の送受信を行うアンテナ５を備え、制御部３０から入力される指示に従って、無線基地局との間で、例えば、ＩＭＴ−２０００準拠の通信方式（例えば、Ｗ−ＣＤＭＡやｃｄｍａ２０００）に対応する携帯電話用の通信プロトコルを実行し、この通信方式で設定される通信チャネルにより、送受話音声の送受信やデータ通信を実行する。
【００３１】
記憶部４１は、制御部３０により実行された処理結果のデータ等を記憶する。例えば、記憶部４１は、撮像装置８により撮像された画像のデータ、無線通信部４０を介して送受信したメールのデータ、通話履歴のデータ等を記憶する。
【００３２】
送受話部４２は、マイク、スピーカ、Ａ／Ｄ変換部、及びＤ／Ａ変換部（何れも図示せず）を有し、マイクから入力されるユーザの送話音声をＡ／Ｄ変換処理して、その送話音声データをＣＰＵ３１に出力するとともに、ＣＰＵ３１から入力される受話音声データや、着信音、操作確認音、シャッタ音等の音声データをＤ／Ａ変換処理して、スピーカから出力する。
【００３３】
次に、鏡筒１０の繰り出し動作に伴う各部の動作について図２、図４、図７及び図８を参照にして説明する。
図７は、起立状態及び非起立状態におけるカム部材２３の突起２４とスタンド部材２６の位置関係を正面から表した図であり、図８は、起立状態及び非起立状態におけるカム部材２３の突起２４とスタンド部材２６の位置関係を上面から表した図であり、実線で描かれた突起２４ａ及びスタンド部材２６ａが非起立状態における位置関係を表し、点線で描かれた突起２４ｂ及びスタンド部材２６ｂが起立状態における位置関係を表している。
【００３４】
先ず、通常撮像モードにおける場合には、被写界深度が１メートル〜∞であればよく、このときの光学部材９の位置を第一撮像位置とする。また、マクロ撮像モードにおける場合には、通常撮像モードよりも焦点距離が短ければよいので、このときの光学部材９の位置を第二撮像位置とする。
第一撮像位置としては、例えば、図２や図４（ａ）に示すように鏡筒１０が沈胴した状態における光学部材９の位置が挙げられる。光学部材９が第一撮像位置に配置されている際には、カム部材２３は、図４（ａ）に示すように、図における案内孔２２の右端及びカム溝１６の上端に配置されている。
【００３５】
そして、通常撮像モードからマクロ撮像モードに切り換えると、制御部３０の制御に基づいて規制部材駆動源２５が駆動される。これによってカム部材２３は案内孔２２に案内され図における左方向に移動（往動）する。ここで、鏡筒１０は、規制部材２０の溝２１によって周方向の移動が規制されていることと、カム部材２３とカム溝１６とが係合していることによって、カム部材２３の移動に伴って繰り出されることとなる。鏡筒１０の繰り出しに伴って、光学部材９は、図２に示す鏡筒１０の内突部１３によって押し出され光軸方向に移動する。この移動によって、光学部材９の支持部９２と撮像素子８１との接触は解除されるものの、内突部１３が光学部材９の突部９３を支持するとともに、付勢バネ１９が光学部材９にかかる力を緩衝するので、光学部材９のブレを防止できる。
【００３６】
このカム部材２３の往動時に、図７（ａ）及び図８の実線部に示すように、スタンド部材２６ａの延出部２６２にカム部材２３の突起２４ａが接触した状態からさらに移動すると、延出部２６２が突起２４ａに押されることにより、スタンド部材２６ａが軸孔２６３を中心に回動して、図７（ｂ）及び図８の点線部に示すように、起立状態となる。そして、カム部材２３が案内孔２２の左端まで移動して、カム溝１６の下端に配置されると、図４（ｂ）に示すように、鏡筒１０が最も繰り出した状態となる。この状態における鏡筒１０及び光学部材９の上端面は、起立状態であるスタンド部材２６の先端よりも下方に配置される必要がある。なぜなら、スタンド部材２６は、マクロ撮像モードにおける被写体及び光学部材９を所定間隔で維持するものであるために、スタンド部材２６の先端が鏡筒１０及び光学部材９の上端面よりも下方にあると、光学部材９及び被写体間に間隔を設けられないからである。つまり、起立状態におけるスタンド部材２６の先端と光学部材９との間隔を、マクロ撮像モードに適した焦点距離に設定しておくことで、両者の間隔を維持することができる。なお、スタンド部材２６の本体部２６１の先端部が伸縮自在である構成としておくことで、起立状態の際には本体部２６１を伸ばして、スタンド部材２６の先端を鏡筒１０及び光学部材９の上端面よりも上方に位置させるようにしてもよい。
そして、本実施形態では、鏡筒１０が最も繰り出した状態における光学部材９の位置を、マクロ撮像モードに応じる第二撮像位置としている。
【００３７】
一方、マクロ撮像モードから通常撮像モードに切り換える場合には、図４（ｂ）に示すようにカム部材２３が案内孔２２の左端から図における右方向に移動（復動）すると、この移動に伴って鏡筒１０は沈胴していく。
ここで、カム部材２３の復動時に、図７（ｂ）及び図８の点線部に示すように、スタンド部材２６ｂの本体部２６１にカム部材２３の突起２４ｂが接触した状態からさらに移動すると、本体部２６１が突起２４ｂに押されることにより、スタンド部材２６ｂが軸孔２６３を中心に回動して、図７（ａ）及び図８の実線部に示すように非起立状態となって、図２及び図４（ａ）に示すように規制部材２０とスタンド支持部材２７との間に収納される。
【００３８】
以下、図９のフローチャート及び図１０の説明概略図を参照して、携帯電話機１００における撮像制御処理について説明する。
【００３９】
携帯電話機１００のユーザによって、入力部６の所定のボタンが押下されることにより、ＣＰＵ３１は、撮像処理の指示の入力であると判断し、ＲＯＭ３３に記憶されている撮像制御プログラム３４を読み出してＲＡＭ３２に展開し、該撮像制御プログラム３４に従って、撮像処理の制御を開始する。
このとき、ユーザは、携帯電話機１００の撮像装置８を被写体に向けることにより、図１０に示すような、被写体（二次元コードのようなもの）を撮像することとする。
【００４０】
そして、ＣＰＵ３１は、具体的には、ＲＡＭ３２に格納されている画像データのフレームのカウント数を０（Ｎ＝０）にリセットし（ステップＳ１０１）、通常撮像モードによる撮像処理の開始指示を撮像装置８及び規制部材駆動源２５に出力する。
【００４１】
この入力に基づいて、規制部材駆動源２５は、光学部材９が第一撮像位置に移動するまで、カム部材２３を復動させる。
光学部材９が第一撮像位置に移動すると、撮像装置８は、通常撮像モードにおける撮像処理として、光学部材９により集光され、撮像素子８１の光電変換部８２に結像された被写体の撮像画像データを順次、制御部３０に出力する（ステップＳ１０２）。
【００４２】
その後、制御部３０のＣＰＵ３１は、撮像装置８より順次入力される撮像画像データを、ＲＡＭ３２に格納するとともに、この撮像画像をフレームレート２５ｆｐｓで表示部７に表示させるプレビュー表示処理を実行する（ステップＳ１０３）。また、ＣＰＵ３１は、プレビュー表示処理の実行と平行して、撮像装置８から入力される画像のフレーム数をカウント（Ｎ＝Ｎ＋１）し（ステップＳ１０４）、フレーム数が「５」であるかを判断する（ステップＳ１０５）。
そして、ＣＰＵ３１は、フレーム数が「５」であると判断した場合（ステップＳ１０５：Ｙｅｓ）には、ステップＳ１０６に移行し、フレーム数が５でないと判断した場合（ステップＳ１０５：Ｎｏ）には、ステップＳ１０２に移行し、以後の工程を繰り返す。
【００４３】
次いで、ステップＳ１０６〜ステップＳ１０８において、ＣＰＵ３１は、ＲＯＭ３３に記憶されているコード認識プログラム３５を読み出してＲＡＭ３２に展開し、このコード認識プログラム３５に従って、コード認識処理の制御を開始する。具体的に、ＣＰＵ３１は、フレーム数が「５」となったときの被写体の撮像画像データと、コード認識用データ３６とを比較対照することにより、二次元コードの認識処理を実行する。
【００４４】
ここで、認識処理の方法として、例えば、被写体の撮像画像データに二次元コードであることを示す所定の切り出しシンボルを検出することにより認識する方法、或いは、被写体の撮像画像データの濃度により認識する方法、二次元コードの所定のモザイク形状を認識する方法等があるが、これらに限定されるものではない。
【００４５】
具体的に、ＣＰＵ３１は、ステップＳ１０６において、撮像画像データと類似性係数算定情報としてのコード認識用データ３６と比較することにより、該撮像画像データの二次元コードである可能性を判断するためのコード類似性係数（Ｑ）を算出する。
【００４６】
次いで、ＣＰＵ３１は、算出されたコード類似性係数（Ｑ）の値が、「０．５」以上であるか否かを判断し（ステップＳ１０７）、Ｑは「０．５」以上であると判断した場合（ステップＳ１０７：Ｙｅｓ）には、所定の二次元コードの可能性があると判断する。
【００４７】
一方、ＣＰＵ３１は、算出されたコード類似性係数（Ｑ）が０．５未満であると判断した場合（ステップＳ１０７：Ｎｏ）には、二次元コードである可能性が少ないと判断し、フレームのカウントを０にリセット設定した（ステップＳ１０９）上で、ステップＳ１０２に移行し、以後の工程であるプレビュー表示処理と５フレーム毎のコード認識処理を繰り返す。
このように、ＣＰＵ３１は、５フレーム毎に、被写体の撮像画像データに対し、二次元コードの認識処理を実行する。従って、ＣＰＵ３１の処理負荷が低減されることとなって、平行して実行する被写体の撮像画像データの取得処理及び該撮像画像データのプレビュー表示処理への影響を軽減することができる。
【００４８】
ステップＳ１０８において、ＣＰＵ３１は、コード類似性係数（Ｑ）が、「１」であるか否かを判断し、「１」であると判断した場合（ステップＳ１０８：Ｙｅｓ）には、二次元コードであると判断してステップＳ１１０に移行する。
【００４９】
一方、ＣＰＵ３１は、コード類似性係数（Ｑ）が、「０．５」以上であるが「１」ではないと判断した場合（ステップＳ１０８：Ｎｏ）には、二次元コード対象（情報コード対象）であると認識する。そして、ＣＰＵ３１は、撮像装置８にマクロ撮像を実行するようにマクロ撮像モード設定処理を実行し（ステップＳ１１１）、ステップＳ１０９に移行する。
【００５０】
ステップＳ１１１では、ＣＰＵ３１はマクロ撮像モードによる撮像処理の開始指示を撮像装置８及び規制部材駆動源２５に出力する。
【００５１】
この入力に基づいて、規制部材駆動源２５は、光学部材９が第二撮像位置に移動するまで、カム部材２３を往動させる。これによりスタンド部材２６が起立状態となって、被写体と光学部材９とはマクロ撮像モードに適した間隔を空けて配置されることになる。
光学部材９が第一撮像位置に移動すると、マクロ撮像モードにおける撮像処理として、ＣＰＵ３１の制御により、撮像装置８の光学部材９と撮像素子８１を用いて被写体の撮像画像データが取得され、表示部７にプレビュー表示される。また、ＣＰＵ３１は、このマクロ撮像モードにおける撮像処理、プレビュー表示処理と平行して、マクロ撮像モードによる撮像画像データに対し、５フレーム毎のコード認識処理を実行する。このとき、マクロ撮像モードにおける撮像処理は、通常撮像モードにおける撮像処理に比べて、焦点距離が短いので、二次元コードの認識率が向上することとなり、通常撮像モードおいて二次元コードとしての可能性があるが確定ではないものとしての二次元コード対象が二次元コードとして認識される可能性が高くなる。これに伴って、被写体の撮像画像データにおける二次元コードの認識率が向上する。
【００５２】
ステップＳ１１０において、ＣＰＵ３１は、認識された二次元コードのデコード処理を実行し、その二次元コードのコード情報内容を表示部７に表示させる（ステップＳ１１２）。
ここで、表示部７に表示されるコード情報内容としては、例えば、ＵＲＬアドレス、電子メールアドレス等の文字情報や、任意の画像情報等である。
尚、コード情報内容としての文字情報、画像情報等の表示部７に表示可能な内容の他、例えば、コード情報内容が音声情報である場合、送受話部４２から放音処理を実行する構成であってもよい。
【００５３】
次いで、ＣＰＵ３１は、ユーザによる入力部６の操作により、表示部７に表示されたコード情報内容に対する所定の処理の指示信号が入力されたか否かを判断し（ステップＳ１１３）、指示信号が入力されたと判断した場合（ステップＳ１１３：Ｙｅｓ）には、該指示に応じた処理を実行（ステップＳ１１４）してステップＳ１１５に移行する。
ここで、コード情報内容に対する所定の処理とは、例えば、コード情報内容がＵＲＬアドレスである場合には、該ＵＲＬアドレスへの接続指示、コード情報内容が電子メールアドレスである場合には、該電子メールアドレス宛の電子メールの作成指示、コード情報内容が、電話番号、電子メールアドレス等である場合にはアドレス帳等への保存処理、その他、表示部７の表示画像の保存指示等であるが、これらに限定されるものではない。
【００５４】
一方、ＣＰＵ３１は、ステップＳ１１３において、ユーザからの指示信号の入力がないと判断した場合（ステップＳ１１３：Ｎｏ）、ステップＳ１１５に移行する。
【００５５】
そして、ステップＳ１１５において、ＣＰＵ３１は、ユーザの入力部６の操作により、撮像処理の終了指示が入力されたか否かを判断し、入力されたと判断した場合には、撮像装置８に撮像処理の終了指示を出力することにより、本撮像制御処理を終了する。
一方、ＣＰＵ３１は、撮像処理の終了指示の入力がないと判断した場合（ステップＳ１１５：Ｎｏ）は、ステップＳ１０９に移行し、以後の工程を繰り返す。
【００５６】
以上のように、本実施形態の携帯電話機１００によれば、カム部材２３の往動時にはスタンド部材２６が起立状態になるので、被写体と光学部材９とをマクロ撮像モードに好適な間隔を空けて対峙させることができる。したがって、マクロ撮像モードで撮像を行う際に、手で保持しなくとも、所定の撮像距離を確保して、明瞭な画像を得ることが可能となる。
また、スタンド部材２６が複数、鏡筒１０の周辺の異なる位置に設けられているので、複数のスタンド部材２６によってマクロ撮像モードにおける光学部材９と被写体との間隔が維持されることになり、より安定した状態でマクロ撮像モードでの撮像を行うことができる。
【００５７】
さらに、撮像装置８による被写体の撮像画像データの取得処理、及びその撮像画像データのプレビュー表示処理と平行して、該撮像画像データ中の所定の二次元コードデータの認識処理、及び二次元コードデータのデコード処理が自動的に実行される。従って、ユーザは、例えば、名刺や雑誌等に付けられている二次元コードを認識、解読するために面倒な設定をしなくとも通常の撮像処理の場合と同操作をすることで、自動的に二次元コードの読取、解読を行えなえることとなるので、大変使い勝手が良い。
また、例えば、通常撮像モードによる撮像画像データのピントがぼけていたり、ノイズが多く含まれていることにより、二次元コードと明確に認識することができないが、その可能性がある場合には、二次元コードの認識に適したマクロ撮像モードによる撮像処理に自動的に切り換わるように撮像装置８が制御される。従って、ユーザに、撮像モードの設定変更の手間を課すことなく、二次元コードの認識精度を高めることができる。
また、通常撮像モードによる撮像画像データに二次元コードが含まれている可能性が少ない場合や、明確に二次元コードが認識できた場合には、撮像モードが切り換わらないので、効率的である。
【００５８】
なお、本実施形態における記述内容は、本発明に係る携帯電話機１００の好適な一例であり、これに限定されるものではない。例えば、通常撮像モードと、マクロ撮像モードとによる撮像処理が実行可能であれば、上記実施形態において例示した撮像装置８の構成に限定されるものではない。
例えば、本実施形態では、一旦通常撮像モードで被写体を撮像してから、制御部３０がその被写体が二次元コードであるか否かを判断して、二次元コードである場合には、マクロ撮像モードに切り換えて再度撮像を行うものを例示したが、これ以外にも、ユーザからの指示に基づいてマクロ撮像モード及び通常撮像モードが切り換わるものであってもよい。
【００５９】
また、上記において、情報コードの一例として二次元コードを用いて説明を行ったが、二次元コードに限定されるものではなく、例えば、バーコード、カラーコード等どのような情報コードであってもよい。
【００６０】
また、上述の撮像制御処理において、二次元コードをデコードすると、そのコード情報内容を表示部７に表示させた上で、ユーザによる所定の処理の指示に基づいて、二次元コードの情報内容に応じた各種処理を実行する構成で説明を行ったが、ＣＰＵ３１により、コード情報内容が解読されると自動的に所定の処理を実行する構成であってもよい。
【００６１】
その他、本実施の形態における携帯電話機１００の細部構成、及び詳細動作に関しては、本発明の趣旨を逸脱しない範囲で適宜変更可能である。
また、本発明の携帯端末は、携帯電話機１００に限定されず、パーソナルコンピュータ、ＰＤＡ等であってもよい。
【００６２】
【発明の効果】
請求項１記載の発明によれば、被写体と光学部材とを第二の撮像モードに好適な間隔を空けて対峙させることができる。したがって、第二の撮像モード（マクロ撮像モード）で撮像を行う際に、手で保持しなくとも、所定の撮像距離を確保して、明瞭な画像を得ることが可能となる。
請求項２記載の発明によれば、複数のスタンド部材によって第二の撮像モードにおける光学部材と被写体との間隔が維持されることになり、より安定した状態で第二の撮像モードでの撮像を行うことができる。
【図面の簡単な説明】
【図１】本発明を適用した一実施の形態における携帯電話機の外観構成を示す図である。
【図２】図１の携帯電話機に備わる撮像装置の一部省略した断面図である。
【図３】図２の撮像装置に備わる鏡筒を表す斜視図である。
【図４】図２の撮像装置の概略図を表す側面図であり、（ａ）は第一撮影位置における状態を、（ｂ）は第二撮影位置における状態を表す図である。
【図５】図２の撮影装置に備わる鏡筒、カム部材、スタンド部材を表す斜視図である。
【図６】図１の携帯電話機１００の機能的構成を示すブロック図である。
【図７】図５のスタンド部材及びカム部材の起立状態及び非起立状態の位置関係を表す正面図である。
【図８】図７のスタンド部材及びカム部材の起立状態及び非起立状態の位置関係を表す上面図である。
【図９】撮像制御処理を説明するためのフローチャートである。
【図１０】図４の撮像制御処理における被写体を説明するための概略図である。
【符号の説明】
９      光学部材
１０      鏡筒
１６      カム溝
２３      カム部材
２６      スタンド部材
１００      携帯電話機（携帯端末）
【図１】
2004246088.tif 000003
【図２】
2004246088.tif 000004
【図３】
2004246088.tif 000005
【図４】
2004246088.tif 000006
【図５】
2004246088.tif 000007
【図６】
2004246088.tif 000008
【図７】
2004246088.tif 000009
【図８】
2004246088.tif 000010
【図９】
2004246088.tif 000011
【図１０】
2004246088.tif 000012